(57)【特許請求の範囲】
【請求項１】
照明装置本体と、この照明装置本体に取り付けられるソケット構造体と、前記ソケット構造体に着脱自在に装着される照明ランプと、を備えた照明装置において、
前記ソケット構造体は、前記照明ランプが装着されるソケット体と、前記ソケット体が装着されるソケットカバーと、前記ソケットカバーが装着される取付カバーとを備え、前記ソケットカバーには取付ブラケットが溶接又はろう付けにより固着され、前記ソケット体は前記取付ブラケットに取り付けられ、また前記ソケットカバーには第１ねじ孔が設けられ、前記取付カバーには第２ねじ孔が設けられ、前記第１及び第２ねじ孔に固定用ねじを螺着することによって、前記ソケットカバーが前記取付カバーに取り付けられ、前記取付カバーが前記照明装置本体に溶接又はろう付けにより固着されていることを特徴とする照明装置。
【請求項２】
照明装置本体と、この照明装置本体に取り付けられるソケット構造体と、前記ソケット構造体に着脱自在に装着される照明ランプと、を備えた照明装置において、
前記ソケット構造体は、前記照明ランプが装着されるソケット体と、前記ソケット体が装着されるソケットカバーと、前記ソケットカバーが装着される取付カバーとを備え、前記ソケットカバーには第１及び第２ねじ孔が設けられ、前記ソケット体には、その一端部に軸方向に延びる第１凹部が設けられ、その他端部に前記軸方向に延びる第２凹部が設けられ、第１固定用ねじを前記第１ねじ孔に螺着して前記第１凹部の底部に挿入するとともに、第２固定用ねじを前記第２ねじ孔に螺着して前記第２凹部の底部に挿入することによって、前記ソケット体が前記ソケットカバーに取り付けられ、前記取付カバーが前記照明装置本体に溶接又はろう付けにより固着されていることを特徴とする照明装置。
【請求項３】
前記取付カバーには第３ねじ孔が設けられ、前記第１固定用ねじは前記取付カバーの前記第３ねじ孔及び前記ソケットカバーの前記第１ねじ孔に螺着されて前記第１凹部の底部に挿入されることを特徴とする請求項２に記載の照明装置。
【請求項４】
前記照明装置本体は支持アーム部を有し、前記ソケット構造体の前記取付カバーが前記支持アーム部の先端部に溶接又はろう付けされ、前記取付カバーに照明用笠が溶接又はろう付けされることを特徴とする請求項１〜３のいずれかに記載の照明装置。
【請求項５】
前記照明装置本体、前記ソケット構造体の前記ソケットカバー及び前記取付カバー並びに前記照明用笠が銅又は銅合金から形成されていることを特徴とする請求項４に記載の照明装置。
【請求項６】
照明ランプが装着されるソケット体と、前記ソケット体が装着されるソケットカバーと、前記ソケットカバーが装着される取付カバーとを備えたソケット構造体であって、
前記ソケットカバーには取付ブラケットが溶接又はろう付けされ、前記ソケット体は前記取付ブラケットに取り付けられ、また前記ソケットカバーには第１ねじ孔が設けられ、前記取付カバーには第２ねじ孔が設けられ、前記第１及び第２ねじ孔に固定用ねじを螺着することによって、前記ソケットカバーが前記取付カバーに取り付けられることを特徴とするソケット構造体。
【請求項７】
照明ランプが装着されるソケット体と、前記ソケット体が装着される前記ソケットカバーと、前記ソケットカバーが装着される取付カバーとを備えたソケット構造体であって、  前記ソケット体には第１及び第２ねじ孔が設けられ、前記取付カバーには第３ねじ孔が設けられ、また前記ソケット体の一端部には軸方向に延びる第１凹部が設けられ、その他端部には前記軸方向に延びる第２凹部が設けられ、第１固定用ねじを前記第３ねじ孔及び前記第１ねじ孔に螺着して前記第１凹部の底部に挿入するとともに、第２固定用ねじを前記第２ねじ孔に螺着して前記第２凹部の底部に挿入することによって、前記ソケット体が前記ソケットカバーに取り付けられることを特徴とするソケット構造体。
【発明の詳細な説明】
【技術分野】
【０００１】
本発明は、周囲を明るく照らすための照明用ランプを装着するソケット構造体及びこれを用いた照明装置に関する。
【背景技術】
【０００２】
一般的な照明装置としてのデスク用（又は床用）などの照明スタンドは、デスクに載置される照明装置本体と、この照明装置本体に取り付けられたソケット構造体と、このソケット構造体に着脱自在に装着される照明用ランプとを備えている。ソケット構造体は、照明ランプ装着部を有するソケット体と、このソケット体を照明装置本体に取り付けるための取付支持部材とを有し、ソケット体が、外部との電気的絶縁を保つための碍子部材と、この碍子部材内に装着されたランプ取付部材とから構成され、照明用ランプがこのランプ取付部材に取り外し可能に取り付けられる。
【発明の開示】
【発明が解決しようとする課題】
【０００３】
このような照明装置には、次の通りの解決すべき問題がある。第１に、ソケット構造体のソケット体が外側に見え易い構造であるために、このソケット体によって外観が損なわれ、装飾性を高めようとしても限度がある。第２に、照明装置に外観的装飾を行おうとすると、ソケット構造体の全体を照明装置本体に取り付けた後に、換言すると電気コードなどの電気部品を取り付けた後に行うようになるために、着色、焼付けなどの可燃装飾加工を行うことが困難となる。第３に、修理を行う場合に、機種によっては、ソケット構造体のソケット体の取り外しが容易でない。
【０００４】
本発明の目的は、ソケット体が外側に見え難く、外観の装飾性を高めることができ、また可燃装飾加工も行うことができる照明装置を提供することである。
本発明の他の目的は、ソケット体の取り外しが容易であるソケット構造体を提供することである。
【課題を解決するための手段】
【０００５】
本発明の請求項１に記載の照明装置は、照明装置本体と、この照明装置本体に取り付けられるソケット構造体と、前記ソケット構造体に着脱自在に装着される照明ランプと、を備えた照明装置において、
前記ソケット構造体は、前記照明ランプが装着されるソケット体と、前記ソケット体が装着されるソケットカバーと、前記ソケットカバーが装着される取付カバーとを備え、前記ソケットカバーには取付ブラケットが溶接又はろう付けにより固着され、前記ソケット体は前記取付ブラケットに取り付けられ、また前記ソケットカバーには第１ねじ孔が設けられ、前記取付カバーには第２ねじ孔が設けられ、前記第１及び第２ねじ孔に固定用ねじを螺着することによって、前記ソケットカバーが前記取付カバーに取り付けられ、前記取付カバーが前記照明装置本体に溶接又はろう付けにより固着されていることを特徴とする。
【０００７】
また、本発明の請求項２に記載の照明装置は、照明装置本体と、この照明装置本体に取り付けられるソケット構造体と、前記ソケット構造体に着脱自在に装着される照明ランプと、を備えた照明装置において、
前記ソケット構造体は、前記照明ランプが装着されるソケット体と、前記ソケット体が装着されるソケットカバーと、前記ソケットカバーが装着される取付カバーとを備え、前記ソケットカバーには第１及び第２ねじ孔が設けられ、前記ソケット体には、その一端部に軸方向に延びる第１凹部が設けられ、その他端部に前記軸方向に延びる第２凹部が設けられ、第１固定用ねじを前記第１ねじ孔に螺着して前記第１凹部の底部に挿入するとともに、第２固定用ねじを前記第２ねじ孔に螺着して前記第２凹部の底部に挿入することによって、前記ソケット体が前記ソケットカバーに取り付けられ、前記取付カバーが前記照明装置本体に溶接又はろう付けにより固着されていることを特徴とする。
【０００８】
また、本発明の請求項３に記載の照明装置では、前記取付カバーには第３ねじ孔が設けられ、前記第１固定用ねじは前記取付カバーの前記第３ねじ孔及び前記ソケットカバーの前記第１ねじ孔に螺着されて前記第１凹部の底部に挿入されることを特徴とする。
【０００９】
また、本発明の請求項４に記載の照明装置では、前記照明装置本体は支持アーム部を有し、前記ソケット構造体の前記取付カバーが前記支持アーム部の先端部に溶接又はろう付けされ、前記取付カバーに照明用笠が溶接又はろう付けされることを特徴とする。
【００１０】
また、本発明の請求項５に記載の照明装置では、前記照明装置本体、前記ソケット構造体の前記ソケットカバー及び前記取付カバー並びに前記照明用笠が銅又は銅合金から形成されていることを特徴とする。
【００１１】
また、本発明の請求項６に記載のソケット構造体は、照明ランプが装着されるソケット体と、前記ソケット体が装着されるソケットカバーと、前記ソケットカバーが装着される取付カバーとを備えたソケット構造体であって、
前記ソケットカバーには取付ブラケットが溶接又はろう付けされ、前記ソケット体は前記取付ブラケットに取り付けられ、また前記ソケットカバーには第１ねじ孔が設けられ、前記取付カバーには第２ねじ孔が設けられ、前記第１及び第２ねじ孔に固定用ねじを螺着することによって、前記ソケットカバーが前記取付カバーに取り付けられることを特徴とする。
【００１２】
更に、本発明の請求項７に記載のソケット構造体は、照明ランプが装着されるソケット体と、前記ソケット体が装着される前記ソケットカバーと、前記ソケットカバーが装着される取付カバーとを備えたソケット構造体であって、  前記ソケット体には第１及び第２ねじ孔が設けられ、前記取付カバーには第３ねじ孔が設けられ、また前記ソケット体の一端部には軸方向に延びる第１凹部が設けられ、その他端部には前記軸方向に延びる第２凹部が設けられ、第１固定用ねじを前記第３ねじ孔及び前記第１ねじ孔に螺着して前記第１凹部の底部に挿入するとともに、第２固定用ねじを前記第２ねじ孔に螺着して前記第２凹部の底部に挿入することによって、前記ソケット体が前記ソケットカバーに取り付けられることを特徴とする。
【発明の効果】
【００１３】
本発明の請求項１に記載の照明装置によれば、照明用ランプが装着されるソケット構造体はソケット体、ソケットカバー及び取付カバーを備え、取付カバーが照明装置本体に溶接又はろう付けにより固着されるので、ソケット構造体を照明装置本体に確実に取り付けることができ、またその取付状態において、ソケット体を外側から見えないようにすることが可能となる。また、ソケット体を取り付けたソケットカバーが取付カバーに装着される構成であるので、取付カバーを照明装置本体に固着した状態において、この取付カバーにソケットカバーを容易に取り付けることができ、また修理などの際の取り外しも容易に行うことができる。また、照明装置本体及び取付カバーなどの装飾はソケットカバーを外した状態で行うことができ、このような状態で行うことによって、各種の装飾加工、例えば可燃装飾加工などを行うことができ、外観の装飾性を非常に高めることが可能となる。また、ソケット体に取付ブラケットが取り付けられ、この取付ブラケットにソケット体が取り付けられ、またソケット体及び取付カバーは第１及び第２ねじ孔に固定用ねじを螺着することによって取り付けられるので、ソケット体をソケットカバーを介して取付カバーに確実に取り付けることができる。
【００１５】
また、本発明の請求項２に記載の照明装置及び請求項７に記載のソケット構造体によれば、ソケット体の一端部に第１凹部が設けられ、その他端部に第２凹部が設けられ、その一端側においては、第１固定用ねじを第１ねじ孔に螺着して第１凹部の底部に挿入することによって、またその他端側においては、第２固定用ねじを第２ねじ孔に螺着して第２凹部の底部に挿入することによって取り付けられるので、ソケット体をソケットカバーに確実に取り付けることができる。
【００１６】
また、本発明の請求項３に記載の照明装置によれば、第１固定用ねじは取付カバーの第３ねじ孔及びソケットカバーの第１ねじ孔に螺着されて第１凹部の底部に挿入されるので、比較的簡単な構成でもって、ソケット体をソケットカバーを介して取付カバーに確実に取り付けることができる。
【００１７】
また、本発明の請求項４に記載の照明装置によれば、ソケット構造体の取付カバーが支持アーム部の先端部に溶接又はろう付けされ、またこの取付カバーに照明用笠が溶接又はろう付けされるので、支持アーム部の先端部にソケット構造体及び照明用笠を確実に固着することができる。
【００１８】
また、本発明の請求項５に記載の照明装置によれば、照明装置本体、ソケット構造体のソケットカバー及び取付カバー並びに照明用笠が銅又は銅合金から形成されたものに好都合に適用することができる。
更に、本発明の請求項６に記載のソケット構造体によれば、ソケット体に取付ブラケットが取り付けられ、この取付ブラケットにソケット体が取り付けられ、またソケット体及び取付カバーは第１及び第２ねじ孔に固定用ねじを螺着することによって取り付けられるので、ソケット体をソケットカバーを介して取付カバーに確実に取り付けることができる。
【発明を実施するための最良の形態】
【００１９】
以下、添付図面を参照して、本発明に従う照明装置（本発明に従うソケット構造体を備えた照明装置）の実施形態について説明する。
第１の実施形態
まず、図１〜図３を参照して、第１の実施形態の照明装置を説明する。図１は、第１の実施形態の照明装置を簡略的に示す斜視図であり、図２は、図１の照明装置のソケット構造体を分解して示す分解斜視図であり、図３は、図２のソケット構造体の断面図である。
【００２０】
図１〜図３において、図示の照明装置は、デスクなどに載置して用いるデスク用のものであり、照明装置本体２、ソケット構造体４及び照明用笠６を備えている。この照明装置本体２は、デスクなどに載置される本体載置部８と、この本体載置部８から上方に延びる支持アーム部１０とを備えている。支持アーム部１０の先部は略Ｕ字状に湾曲して下方に向き、その先端部にソケット構造体４が固定されている。照明ランプ１２を点灯するための点灯回路（図示せず）などは照明装置本体２の本体載置部８に内蔵され、この点灯回路から照明ランプ１２に点灯電流を供給するための電線コード１４は支持アーム１０内を通してソケット構造体４内に導かれ、この電線コードが外側から見えないように構成されている。
【００２１】
図示のソケット構造体４は、照明ランプ１２が装着されるソケット体１６と、このソケット体１６が装着されるソケットカバー１８と、このソケットカバー１８が装着される取付カバー２０とを備え、取付カバー２０が支持アーム部１０の先端部に固定される。この実施形態では、ソケット体１６は、外形が略円形状である碍子部材２２を備え、この碍子部材２２の端壁２４に貫通孔２６が設けられている。碍子部材２２の周側壁２８の内側にはランプ取付部材３０が装着され、このランプ取付部材３０の雌ねじ部３２に照明ランプ１２の口金部の雄ねじ部（図示せず）が着脱自在に螺着される。この碍子部材２２の端壁２４の内面には端子部材３４が取り付けられ、この端子部材３４が照明ランプ１２に対する一方の端子として機能し、またランプ取付部材３０が照明ランプ１２に対する他方の端子として機能し、照明ランプ１２をランプ取付部材３０に装着すると、照明ランプ１２の一方の端子部が端子部材３４に電気的に接続され、その他方の端子部（即ち、口金部）がランプ取付部材３０に電気的に接続され、これら端子部材３４及びランプ取付部材３０に上述した電気コード１４が電気的に接続される。碍子部材２２は端子部材３４及びランプ取付部材３０と周囲の各種部材、例えばソケットカバー１８との間の電気的絶縁性を確保する。
【００２２】
ソケットカバー１８は中空円筒状であり、その内面の所定部位に略Ｌ字状の取付ブラケット３６の一端側が固定されている。取付ブラケット３６の他端側は径方向内方に延び、この他端側に貫通孔３８が設けられている。また、このソケットカバー１８の所定部位には、第１ねじ孔４０が設けられている。
【００２３】
また、取付カバー２０は略カップ状であり、円筒状の周壁部４２と、この周壁部４２の一端部に設けられた弧状の端壁部４４とを有し、この端壁部４４の中央部に円形開口４６が設けられ、かかる円形開口４６に支持アーム部１０の先端部が幾分挿入されて後述する如く固定され、ソケット構造体１６からの電気コード１４は、この円形開口４６を通して支持アーム部１０内に導かれる。この取付カバー２０の周側壁４２の所定部位には、ソケットカバー１８の第１ねじ孔４０に対応して第２ねじ孔４８が設けられている。
【００２４】
また、照明用笠６は、外形が略円錐状に形成され、その中央部に円形開口（図示せず）が設けられ、この円形開口にソケット構造体４の取付カバー２０が挿入され、かく挿入した状態で後述する如くして固定される。
【００２５】
この実施形態では、外観の装飾性を高めるために、照明装置本体２の本体載置部８及び支持アーム部１０並びに照明用笠６が銅又は銅合金から形成され、このことに関連して、ソケット構造体４のソケットカバー１８及び取付カバー２０も銅又は銅合金から形成されている。そして、これらの各種部材を固定する際には溶接又はろう付けにより固着されている。即ち、支持アーム部１０の先端部とソケット構造体４の取付カバー２０との固着、この取付カバー２０と照明用笠６との固着、またソケット構造体４のソケットカバー１８と取付ブラケット３６との固着は、溶接又はろう付けにより行われ、このように固着することによって、装飾性の高い外観を保ちながら確実に固定することができる。
【００２６】
この照明装置は、例えば次のようにして製作することができる。主として図２及び図３を参照して、電気コード１４が所要の通りに接続されたソケット体１６と、取付ブラケット３６が固着されたソケットカバー１８と、取付カバー２０とを用意する。電気コード１４を通しながらソケット体１６をソケットカバー１８内に挿入し、取付ブラケット３６の他端側に当接するまで挿入する。そして、取付用ねじ５０の軸部を碍子部材２２の貫通孔２６及び取付ブラケット３６の貫通孔３８を通して挿通し、取付ブラケット３６から突出する取付用ねじ５０の端部にナット５２を螺着し、このようにすることによって、ソケットカバー１８の内側にソケット体１６が取り外し可能に取り付けられる。尚、ソケットカバー１８の長さ（具体的には、取付ブラケット３６の他端側からソケットカバー１８の一端（図３において下端）までの長さ）を適切な長さに設定することによって、ソケット体１６の外部への露出をなくすことができる。
【００２７】
次に、ソケット構造体４の取付カバー２０に照明用笠６を固着し、更に、取付カバー２０の端壁部４４に支持アーム部１０の先端部を固着し、このような状態で取付カバー２０及び照明用笠６に対する装飾加工を施す。
【００２８】
しかる後、電気コード１４を取付カバー２０の円形開口４６及び支持アーム部１０を通して外側に導いた後に、ソケットカバー１８を取付カバー２０に取り付ける。この取付は、ソケットカバー１８の第１ねじ孔４０と取付カバー２０の第２ねじ孔４８とを合わせ、外側から固定用ねじ５４を第２ねじ孔４８及び第１ねじ孔４０に螺着する。このようにして取付カバー２０にソケットカバー１８を容易に且つ簡単に取り付けることができる。
【００２９】
その後、支持アーム部１０の基部を本体載置部８に溶接又はろう付けにより固着し、更に支持アーム部１０を通して導かれた電気コード１４の端部を本体載置部８に内蔵された点灯回路（図示せず）に電気的に接続し、このようにして上述した照明装置を製作することができる。そして、使用に際して、照明用ランプ１２をソケット構造体４に装着すればよい。
【００３０】
尚、修理などでソケット体１６を取り外すときには、照明用ランプ１２を取り外した後に、固定用ねじ５４を取り外せばよく、かくすることによって、取付カバー４４からソケットカバー１８（これに装着されたソケット体１６も一体的に）を取り外すことができ、簡単な作業でもって容易に取り外すことができる。
【００３１】
第２の実施形態
次に、図４及び図５を参照して、第２の実施形態の照明装置について説明する。図４は、第２の実施形態の照明装置におけるソケット構造体を分解して示す斜視図であり、図５は、図４のソケット構造体を示す断面図である。尚、以下の実施形態において、第１の実施形態と実質上同一の部材には同一の参照番号を付し、その説明を省略する。
【００３２】
図４及び図５において、この実施形態におけるソケット構造体４Ａも、照明ランプ１２が装着されるソケット体１６Ａと、このソケット体１６Ａが装着されるソケットカバー１８Ａと、このソケットカバー１８Ａが装着される取付カバー２０Ａとを備えている。ソケット体１６Ａは、外形が略円形状である碍子部材２２Ａを備え、この碍子部材２２Ａの周壁２８Ａの一端部に第１凹部６２が設けられ、その他端部に第２凹部６４が設けられている。第１凹部６２はその一端（図４及び図５において上端）から他端に向けて軸方向に直線状に延び、また第２凹部６４はその他端（図４及び図５において下端）から上記一端に向けて軸方向に直線状に延びている。この碍子部材２２Ａの周側壁２８Ａの内側には、第１の実施形態と略同様に、ランプ取付部材（図示せず）及び端子部材（図示せず）が装着され、このランプ取付部材に照明ランプ１２が着脱自在に取り付けられる。尚、第１凹部６２及び第２凹部６４は、図示の形態では１個ずつ設けているが、例えば対向するように２個ずつ設けるようにしてもよい。
【００３３】
ソケットカバー１８Ａは中空円筒状であり、碍子部材２２Ａの第１凹部６２に対応して第１ねじ孔６６が設けられ、また碍子部材２２Ａの第２凹部６４に対応して第２ねじ孔６８が設けられ、このソケットカバー１８Ａの内側にソケット体２２Ａが配設される。
【００３４】
また、取付カバー２０Ａは略カップ状であり、円筒状の周壁部４２と、この周壁部４２の一端部に設けられた弧状の端壁部４４とを有し、この端壁部４４の中央部に円形開口４６が設けられている。この取付カバー２０Ａの周側壁４２の所定部位には、ソケットカバー１８Ａの第１ねじ孔４６６に対応して第３ねじ孔７０が設けられている。この第２の実施形態のその他の構成は、上述した第１の実施形態と実質上同一の構成でよい。
【００３５】
第２の実施形態の照明装置は、例えば次のようにして製作することができる。電気コード（図示せず）が接続されたソケット体１６Ａと、ソケットカバー１８Ａと、取付カバー２０Ａとを用意する。例えば、ソケットカバー１８Ａの第２ねじ孔６８に固定用ねじ７２（第２固定用ねじを構成する）を螺着してその先端部をソケットカバー１８Ａ内に幾分突出させる。そして、電気コード（図示せず）が接続されたソケット体１６Ａを一端側（図４及び図５において上側）からソケットカバー１８Ａ内に挿入し、固定用ねじ７２が第２凹部６４内に位置してその底部に達するまで挿入し、かく挿入した状態で固定用ねじ７２を締め付けて固定し、かく固定することによって取り外し可能に取り付けられ、ソケットカバー１８Ａに対するソケット体１６Ａの他端側への相対的移動が阻止されるとともに、ソケット体１６Ａの相対的回動が阻止される。
【００３６】
次に、第１の実施形態と同様に、ソケット構造体４Ａの取付カバー２０Ａに照明用笠（図示せず）を固着し、更に、取付カバー２０Ａの端壁部４４に照明装置本体の支持アーム部（図示せず）の先端部を固着した後、取付カバー２０Ａにソケットカバー１８Ａを装着する。この取付けは、電気コード（図示せず）を取付カバー２０Ａの円形開口４６及び照明装置本体の支持アーム部を通して外側に導いた後に、ソケットカバー１８Ａの第１ねじ孔６６と取付カバー２０Ａの第３ねじ孔７０とを合わせ、外側から固定用ねじ７４を第３ねじ孔７０及び第１ねじ孔６６に螺着し、その先端部をソケットカバー１８Ａの内側に幾分突出させる。このようにして取付カバー２０Ａにソケットカバー１８Ａ（これに装着されたソケット体１６Ａ）を容易に且つ簡単に取り付けることができる。
【００３７】
かく装着すると、図５に示すように、固定用ねじ７４の先端部がソケット体１６Ａの第１凹部６２の底部に位置し、ソケットカバー１８Ａに対するソケット体１６Ａの一端側（図４及び図５において上側）への相対的移動が阻止され、かくして、ソケット体１６Ａがソケットカバー１８Ａに確実に固定される。
【００３８】
その後、支持アーム部の基部を本体載置部に固着し、更に支持アーム部を通して導かれた電気コードの端部を本体載置部に内蔵された点灯回路（図示せず）に電気的に接続し、このようにして上述した照明装置を製作することができる。
【００３９】
尚、この場合においても、ソケット体１６Ａを取り外すときには、照明用ランプ１２を取り外した後に、固定用ねじ７４を取り外せばよく、かくすることによって、取付カバー２０Ａからソケットカバー１８Ａ（これに装着されたソケット体１６Ａも一体的に）を取り外すことができ、簡単な作業でもって容易に取り外すことができる。
【００４０】
上述した実施形態では、固定用ねじ７４によって、ソケットカバー１８Ａに対するソケット体１６Ａの固定及びソケットカバー１８Ａと取付カバー２０Ａの固定を行っているが、これらの固定を別個の固定用ねじにより行うこともできる。この場合、取付カバー２０Ａの第３ねじ孔７０に対応してソケットカバー１８Ａに更に第４ねじ孔（図示せず）を設け、固定用ねじ７４を第２ねじ孔７０及び第４ねじ孔に螺着するとともに、別個の固定用ねじをソケットカバー１８Ａの第１ねじ孔６６に螺着して内側に幾分突出させてソケット体１６Ａの第１凹部６２の底部に位置付けるようにすればよい。
【００４１】
以上、本発明に従う照明装置及びソケット構造体の実施形態について説明したが、本発明はこれら実施形態に限定されるものではなく、本発明の範囲を逸脱することなく種々の変形乃至修正が可能である。
【図面の簡単な説明】
【００４２】
【図１】第１の実施形態の照明装置を簡略的に示す斜視図。
【図２】図１の照明装置のソケット構造体を分解して示す分解斜視図。
【図３】図２のソケット構造体の断面図。
【図４】第２の実施形態の照明装置におけるソケット構造体を分解して示す分解斜視図。
【図５】図４のソケット構造体を示す断面図。
【符号の説明】
【００４３】
２  照明装置本体
４，４Ａ  ソケット構造体
６  照明用笠
８  本体載置部
１０  支持アーム部
１２  照明ランプ
１６，１６Ａ  ソケット体
１８，１８Ａ  ソケットカバー
２０，２０Ａ  取付カバー
２２，２２Ａ  碍子部材
３６  取付ブラケット
４０，４８，６６，６８，７０  ねじ孔
５４，７２，７４  固定用ねじ
６２，６４  凹部
【図１】
0004693054.tif 000002
【図２】
0004693054.tif 000003
【図３】
0004693054.tif 000004
【図４】
0004693054.tif 000005
【図５】
0004693054.tif 000006